(57)【要約】【課題】第１剤と第２剤からなる二剤形式の塗布液を吐出孔から混合吐出させるに当たり、吐出孔から吐出させる第１剤と第２剤との混合比を、吐出孔の位置によらず一定とする。【解決手段】毛髪化粧料等の塗布液の第１剤を充填した容器２ａと塗布液の第２剤を充填した容器２ｂに取り付けられる混合液吐出キャップ１０Ａが、キャップ部２０、第１剤と第２剤を混合する複数の混合室５０、及び吐出部４０を有する。各混合室５０は、第１剤の容器２ａに連通した第１剤流入口５２ａ、第２剤の容器２ｂに連通した第２剤流入口５２ｂ、及び第１剤と第２剤の混合液を流出させる流出口５３を有し、吐出部４０が、前記流出口５３に連通した吐出孔４３を有する。【選択図】    図１
2004155484.tif 000002
【特許請求の範囲】
【請求項１】
塗布液の第１剤を充填した容器と塗布液の第２剤を充填した容器の少なくとも二つの容器の口部に取り付けられるキャップ部、第１剤と第２剤の少なくとも二剤を混合する複数の混合室、及び吐出部からなる混合液吐出キャップであって、
各混合室が、第１剤の容器に連通した第１剤流入口、第２剤の容器に連通した第２剤流入口、及び第１剤と第２剤の混合液を流出させる流出口を有し、
吐出部が、前記流出口に連通した吐出孔を有する混合液吐出キャップ。
【請求項２】
各混合室において、第１剤流入口と第２剤流入口が斜向かいに形成されている請求項１記載の混合液吐出キャップ。
【請求項３】
複数の混合室が並設され、並設された複数の混合室の一方の側面に第１剤を誘導し、他方の側面に第２剤を誘導する分配部材がキャップ部に着脱自在に装着され、分配部材上に吐出部が着脱自在に装着され、吐出部の底部に各混合室を画する立壁が延設され、吐出部の分配部材への装着により複数の混合室が形成される請求項１又は２記載の混合液吐出キャップ。
【請求項４】
吐出部が、櫛歯を有する請求項１〜３のいずれかに記載の混合液吐出キャップ。
【請求項５】
吐出部が、先端に吐出孔が開口したノズルを有する請求項１〜３のいずれかに記載の混合液吐出キャップ。
【請求項６】
第１剤の容器と第２剤の容器の並設方向と略平行に複数の混合室が並設され、櫛歯が混合室上に起立した板状櫛歯からなり、板状櫛歯はその厚み方向に列設され、吐出孔を有する請求項４記載の混合液吐出キャップ。
【請求項７】
第１剤の容器と第２剤の容器の並設方向と略垂直に複数の混合室が並設され、各櫛歯が複数の混合室の並設方向と垂直に起立した板状櫛歯からなり、板状櫛歯はその厚み方向に列設され、吐出孔を有する請求項４記載の混合液吐出キャップ。
【請求項８】
塗布液が染毛剤又は脱色剤であり、該塗布液の第１剤を充填した容器と第２剤を充填した容器の少なくとも二つの容器、及び請求項１〜７のいずれかに記載の混合液吐出キャップからなる毛髪化粧料塗布用具。
【発明の詳細な説明】
【０００１】
【発明の属する技術分野】
本発明は、二剤形式の毛髪化粧料を構成する第１剤と第２剤を、塗布時に等量ずつ混合し、吐出させることのできる毛髪化粧料塗布用具に関する。
【０００２】
【従来の技術】
従来、二剤形式の毛髪化粧料として、例えば、酸化染料を含有する第１剤と、過酸化水素等の酸化剤を含有する第２剤とからなる二剤形式の染毛剤が知られている。また、ヘアブリーチとして、アルカリ剤を含有する第１剤と、過酸化水素を含有する第２剤とからなる二剤形式のものが知られている。
【０００３】
このような毛髪化粧料は、保存安定性の点から、第１剤と第２剤とがそれぞれ別個の容器に収容され、使用時に第１剤と第２剤とが混合される。この第１剤と第２剤の吐出と混合を同時に行えるようにする吐出容器について、例えば、特許文献１には、一対のエアゾール容器から吐出された第１剤と第２剤を一つの混合室内に導入し、次いでその混合液を、各櫛歯に形成されている流路に通し、その流路の一端の吐出孔から吐出させるものが提案されている。
【０００４】
【特許文献１】特開２００２−３７２９１号公報
【０００５】
【発明が解決しようとする課題】
しかしながら、上述の吐出容器では、混合室内で第１剤と第２剤が均一に混合されることなく吐出されるため、各櫛歯の吐出孔から吐出される第１剤と第２剤との混合比が櫛歯の位置によって異なる。このため、第１剤と第２剤を混合した毛髪化粧料を毛髪に適用する際に、その第１剤と第２剤を安定的に最適比率（通常１：１）にすることができないという問題があった。
【０００６】
これに対し、本発明は、二剤形式の毛髪化粧料を構成する第１剤と第２剤とを、所定の混合比率で安定的に複数の吐出孔から吐出させることを目的とする。
【０００７】
【課題を解決するための手段】
本発明者は、二剤形式の毛髪化粧料を構成する第１剤と第２剤を混合吐出させる塗布用具において、第１剤と第２剤を所定の混合比率で複数の吐出孔から安定的に吐出させるためには、第１剤と第２剤の混合室を各吐出孔に対応させて複数設けることが有効であることを見出した。
【０００８】
即ち、本発明は、塗布液の第１剤を充填した容器と塗布液の第２剤を充填した容器の少なくとも二つの容器の口部に取り付けられるキャップ部、第１剤と第２剤の少なくとも二剤を混合する複数の混合室、及び吐出部からなる混合液吐出キャップであって、
各混合室が、第１剤の容器に連通した第１剤流入口、第２剤の容器に連通した第２剤流入口、及び第１剤と第２剤の混合液を流出させる流出口を有し、
吐出部が、前記流出口に連通した吐出孔を有する混合液吐出キャップを提供する。
【０００９】
また、本発明は、塗布液が染毛剤又は脱色剤であり、該塗布液の第１剤を充填した容器と第２剤を充填した容器の少なくとも二つの容器、及び上述の混合液吐出キャップからなる毛髪化粧料塗布用具を提供する。
【００１０】
【発明の実施の形態】
以下、図面を参照しつつ本発明を詳細に説明する。なお、各図中、同一符号は同一又は同等の構成要素を表している。
【００１１】
図１は、本発明の一実施例の毛髪化粧料塗布用具１Ａの斜視図であり、図２は毛髪化粧料塗布用具１Ａに使用する混合液吐出キャップ１０Ａを櫛歯面に平行な面で切った断面図、図３はそのＡ−Ａ断面図、図４はそのＢ−Ｂ断面図、図５は毛髪化粧料塗布用具１Ａの構成部品の断面図である。
【００１２】
この毛髪化粧料吐出用具１Ａは、第１剤を充填した第１のエアゾール容器２ａと第２剤を充填した第２のエアゾール容器２ｂと、これらに装着した混合液吐出キャップ１０Ａからなっている。混合液吐出キャップ１０Ａは、第１のエアゾール容器２ａと第２のエアゾール容器２ｂに冠着してこれらを連結する連結部材１１、連結部材１１上に取り付けられたキャップ部２０、キャップ部２０上に設けられた分配部材３０及び分配部材３０上に設けられた吐出部４０からなり、これら連結部材１１、キャップ部２０、分配部材３０及び吐出部４０は、それぞれ着脱自在に取り付けられる。
【００１３】
吐出部４０の底部には立壁４１が延設されており、吐出部４０を分配部材３０に装着することにより、第１剤と第２剤を混合する複数の混合室５０が、第１のエアゾール容器２ａと第２のエアゾール容器２ｂの並設方向と略平行に並設され、さらに、これら複数の混合室５０からなる列の一方の側面に第１剤の流路５１ａが形成され、他方の側面に第２剤の流路５１ｂが形成される。
【００１４】
図６は、分配部材３０の上面図（ａ）、正面図（ｂ）、下視図（ｃ）であり、図７は、分配部材３０における第１剤と第２剤の流れの説明図である。第１のエアゾール容器２ａから吐出された第１剤が、複数の混合室５０からなる列の一方の側面の流路５１ａに誘導され、その列の他方の側面の流路５１ｂに第２のエアゾール容器２ｂから吐出された第２剤が誘導されるように、分配部材３０の底面は２つの液室３１ａ、３１ｂに分割され（図３、図６（ｃ）参照）、分配部材３０の上面には、液室３１ａ、３１ｂにそれぞれ連通した第１剤供給孔３２ａと第２剤供給孔３２ｂが斜向かいに形成されている（図４、図６（ａ）参照）。
【００１５】
各混合室５０には、第１剤の流路５１ａに連通した第１剤流入口５２ａと第２剤の流路５１ｂに連通した第２剤流入口５２ｂ、及び第１剤と第２剤の混合剤の流出口５３が形成されている。ここで、第１剤流入口５２ａと第２剤流入口５２ｂは斜向かいに形成され、第１剤流入口５２ａと第２剤流入口５２ｂの近傍には、それぞれ混合室５０内の剤の流れを規制するじゃま板５４が設けられている。
【００１６】
キャップ部２０は、連結部材１１上でキャップ部２０の内壁の溝２１が連結部材１１の凸部１２と掛合し、その溝２１の長さ分だけ上下に摺動するようになっている（図３参照）。また、キャップ部２０の口部２２には、第１のエアゾール容器２ａ及び第２のエアゾール容器２ｂのステム４ａ、４ｂが挿入される。したがって、キャップ部２０を押し下げることにより、ステム４ａ、４ｂが同時に押し下げられ、第１のエアゾール容器２ａから第１剤が吐出すると共に、第２のエアゾール容器２ｂから第２剤が吐出する。
【００１７】
一方、吐出部４０は、各混合室５０上に起立した板状櫛歯４２からなり、これら板状櫛歯４２はその厚み方向に列設されている。ここで、板状櫛歯４２とは、その厚み方向に比べて幅方向の面積が十分に大きい平板状の高剛性材料からなる櫛歯をいう。
【００１８】
板状櫛歯４２は、その起立方向がステム４ａ、４ｂの起立方向に対して斜めとなっている。この板状櫛歯４２の起立方向とステム４ａ、４ｂの起立方向とがなす角度θは、３０〜６０°とすることが好ましい（図２参照）。これにより、図中、板状櫛歯４２の上側の側辺４５を頭皮に密着させた状態でもエアゾール容器２ａ、２ｂの本体を握るのに支障なく、その状態で毛髪化粧料を吐出させ、あるいは毛髪を梳かすことができる。
【００１９】
各板状櫛歯４２は、先端部に第１剤と第２剤の混合毛髪化粧料を吐出する吐出孔４３を有し、吐出孔４３に連通した吐出路４４を内部に有している。この吐出路４４は、混合室５０の流出口５３と連通している。
【００２０】
この毛髪化粧料塗布用具１Ａの使用に際しては、まず、吐出部４０を押し込む。これにより、キャップ部２０が押し下げられ、第１のエアゾール容器２ａから第１剤が分配部材３０の第１剤供給孔３２ａを通って流路５１ａに吐出されると共に、第２のエアゾール容器２ｂから第２剤が分配部材３０の第２剤供給孔３２ｂを通って流路５１ｂに吐出される。
【００２１】
各混合室５０では、第１剤の流入口５２ａと第２剤の流入口５２ｂが斜向かいに形成され、さらに、第１剤流入口５２ａと第２剤流入口５２ｂの近傍には、それぞれ混合室５０内の剤の流れを規制するじゃま板５４が設けられている。そのため、図４に示すように、各混合室５０では、流路５１ａから供給された第１剤と流路５１ｂから供給された第２剤の渦流や、第１剤の流入口５２ａあるいは第２剤の流入口５２ｂに対するねじれ方向の流れがおき、第１剤と第２剤が十分に混合される。第１剤と第２剤が混合した状態の毛髪化粧料は、混合室５０の流出口５３から吐出され、各混合室５０に対応して設けられた板状櫛歯４２内の吐出路４４を通り、吐出孔４３から吐出される。したがって、この毛髪化粧料塗布用具１Ａによれば、列設された板状櫛歯４２の吐出孔４３のいずれからも、第１剤と第２剤が所定の量比で十分に混合された毛髪化粧料を吐出させることができる。
【００２２】
そして、この毛髪化粧料塗布用具１Ａによれば、こうして毛髪化粧料を吐出させつつ、板状櫛歯４２を有する吐出部４０で毛髪を梳くことができる。よって、毛髪化粧料の第１剤と第２剤を所定の量比で混合吐出させつつ、その毛髪化粧料を毛髪に塗布する操作を簡便に行うことができる。
【００２３】
さらに、この毛髪化粧料塗布用具１Ａによれば、混合液吐出キャップ１０Ａが、図５に示した構成部品が着脱自在に取り付けられることにより形成されるので、一般使用者は、容易に混合液吐出キャップ１０Ａを構成部品に分解し、それらを洗浄し、再度組み立てて使用することができる。一般に、第１剤と第２剤からなる染毛剤では、両剤が混ざって反応すると、酸化染料の酸化反応が開始されるために黒化し、また、酸化染料を含む第１剤は外気あるいは容器の流路内の酸素と反応することによっても黒化し、さらに第１剤あるいは第１剤と第２剤の混合剤は、乾燥により固化するため、一度、二剤形式の染毛剤の塗布に混合液吐出キャップ１０Ａを使用した後は、混合液吐出キャップ１０Ａは外観が汚れて見え、吐出孔や流路が詰まり、吐出不良が生じるおそれがある。これに対し、この混合液吐出キャップ１０Ａによれば、構成部品を容易に分解洗浄し、容易に組み立てられるので、その外観を美しく保ち、良好な吐出性を維持しつつ毛髪化粧料塗布用具を継続使用することが可能となる。
【００２４】
図８は、上述の毛髪化粧料塗布用具１Ａの変形態様の混合室部分の断面図である。この態様では、分配部材の第１剤供給孔３２ａが、並設された複数の混合室５０の列の一端に形成され、第２剤供給孔３２ｂがその列の他端に形成され、また、第１剤供給孔３２ａから導出された第１剤の流路５１ａと、第２剤供給孔３２ｂから導出された第２剤の流路５１ｂが、それぞれ剤が流れる方向にいくにしたがって幅狭となっている。したがって、並設された複数の混合室５０のいずれにおいても、第１剤流入口５２ａと第２剤流入口５２ｂから第１剤と第２剤とが所定の量比で導入される。これに対して、流路５１ａ、流路５１ｂが、それぞれ並設された混合室５０の一端から他端まで同一幅で形成されていると、当該剤の供給孔側の混合室５０には、他端側の混合室５０に比して剤が多く導入されやすくなる。
【００２５】
なお、各混合室５０に導入する第１剤と第２剤は、通常１：１となるように、流路５１ａ、５１ｂの幅、第１剤流入口５２ａや第２剤流入口５２ｂの開口径、エアゾール容器２ａ、２ｂのバルブ径、エアゾール容器２ａ、２ｂ内のガス圧等が適宜調整される。
【００２６】
図９は、上述の毛髪化粧料塗布用具１Ａの混合液吐出キャップ１０Ａのさらに異なる変形態様１０Ｂの断面図である。この混合液吐出キャップ１０Ｂでは、各混合室５０において混合した第１剤と第２剤を流出させる流出口５３に連通した吐出孔４３が、板状櫛歯ではなく、ブラシ状に起立した棒状櫛歯４２’の櫛歯間に形成されている点が異なっている。
【００２７】
図１０は、本発明の異なる実施例の毛髪化粧料塗布用具１Ｂの斜視図であり、図１１はこの毛髪化粧料塗布用具１Ｂに使用する混合液吐出キャップ１０Ｃの断面図である。
【００２８】
この混合液吐出キャップ１０Ｃにおいては、第１剤の容器２ａと第２剤の容器２ｂが外側ケース３内に収容され、それらの並設方向と略垂直に複数の混合室５０が並設され、各板状櫛歯４２が複数の混合室５０の並設方向に対して垂直に起立している。
【００２９】
また、混合室５０の並設領域とキャップ部２０との間に棒状部２３が設けられ、全体として柄付きブラシの形態となっている。棒状部２３の内部には、２つの流路２４ａ、２４ｂが形成され、並設された混合室５０の両側の第１剤の流路５１ａあるいは第２剤の流路５１ｂにつながっている。
【００３０】
混合室５０の両側の第１剤の流路５１ａあるいは第２剤の流路５１ｂは、混合室５０の並設領域近傍において、キャップ部２０側では幅広く、それと反対側では幅狭く形成されている。したがって、この毛髪化粧料塗布用具１Ｂにおいても、複数の混合室５０のいずれにも、第１剤流入口５２ａと第２剤流入口５２ｂから第１剤と第２剤とが所定の量比で導入される。
【００３１】
また、図１１（ｃ）に示すように、各混合室５０において、第１剤流入口５２ａと第２剤流入口５２ｂは斜向かいに形成され、第１剤流入口５２ａと第２剤流入口５２ｂの近傍には、それぞれじゃま板５４が設けられている。したがって、各混合室５０では、第１剤流入口５２ａから導入された第１剤と第２剤流入口５２ｂから導入された第２剤に渦流やねじれ方向の流れがおき、第１剤と第２剤が十分に混合される。そして十分に混合された毛髪化粧料が流出口５３を出て板状櫛歯４２の吐出路４４を通り、吐出孔４３から吐出される。
【００３２】
本発明は、第１剤と第２剤の混合室を複数形成する限り、好ましくは吐出孔と混合室を１：１に対応させて複数形成する限り、種々の態様をとることができる。例えば、図１２の毛髪化粧料塗布用具１Ｃのように、並設した混合室５０上に板状櫛歯あるいは棒状櫛歯を設けることなく、一本のノズル４６を設け、その先端に吐出孔４３を開口してもよい。図１３は、この毛髪化粧料塗布用具の混合液吐出キャップ１０Ｄの断面図である。
【００３３】
また、図１４の毛髪化粧料塗布用具１Ｄのように、並設した混合室５０上に複数の吐出孔４３を形成してもよい。
【００３４】
また、剤の吐出形式は、エアゾール缶の使用に限らず、シリンダーとピストンからなるポンプ室を有し、ピストンを上下させることによりポンプ室に蓄えられた剤を吐出させるポンプ容器を使用するものでもよい。ポンプ容器としては、剤が充填されている容器からディップチューブを用いて剤を吸引するもの、ピストンの上下により吐出させた剤の量に応じて容器内底部が次第に上昇する可動中皿を使用し、ディップチューブを不要としたもの等をあげることができる。
【００３５】
また、本発明の塗布用具あるいは吐出用具は、二剤形式の種々の染毛剤、ブリーチ剤等の毛髪化粧料の他、２種類の塗布剤と希釈剤を混合して使用する三剤形式の毛髪化粧料等の吐出あるいは塗布にも適用することができる。三剤形式の場合、混合室には第１剤流入口、第２剤流入口に加えて第３剤流入口を形成する。
【００３６】
【発明の効果】
本発明によれば、第１剤と第２剤からなる二剤形式の毛髪化粧料を混合吐出させるに当たり、予め複数の混合室で双方の剤を混合するので、櫛歯の吐出孔から吐出させる毛髪化粧料の第１剤と第２剤との混合比を、櫛歯の位置によらず、所定の値に調整することができる。
【００３７】
特に、各混合室において、第１剤の流入口と第２剤の流入口を斜向かいに形成することにより、さらには必要に応じて、混合室内に剤の流れを規制するじゃま板をおくことにより、混合室で第１剤と第２剤を十分に混合することができる。
【００３８】
また、構成部品を着脱自在とした態様によれば、それらの分解洗浄が容易となるので、毛髪化粧料塗布用具あるいは吐出用具を、外観を美しく保ち、吐出不良も防止しつつ、継続的に使用することが可能となる。
【図面の簡単な説明】
【図１】本発明の一実施例の毛髪化粧料塗布用具の斜視図である。
【図２】毛髪化粧料塗布用具に使用する混合液吐出キャップを櫛歯面に平行な面で切った断面図である。
【図３】毛髪化粧料塗布用具に使用する混合液吐出キャップのＡ−Ａ断面図である。
【図４】毛髪化粧料塗布用具に使用する混合液吐出キャップのＢ−Ｂ断面図である。
【図５】毛髪化粧料塗布用具の構成部品の断面図である。
【図６】分配部材の上面図（ａ）、正面図（ｂ）、下視図（ｃ）である。
【図７】分配部材における第１剤と第２剤の流れの説明図である。
【図８】本発明の異なる実施例の毛髪化粧料塗布用具の混合室部分の断面図である。
【図９】毛髪化粧料塗布用具に使用する混合液吐出キャップの変形態様の断面図である。
【図１０】毛髪化粧料塗布用具の変形態様の斜視図である。
【図１１】毛髪化粧料塗布用具に使用する混合液吐出キャップの断面図である。
【図１２】毛髪化粧料塗布用具の変形態様の斜視図である。
【図１３】毛髪化粧料塗布用具に使用する混合液吐出キャップの断面図である。
【図１４】毛髪化粧料塗布用具の変形態様の斜視図である。
【符号の説明】
１Ａ、１Ｂ、１Ｃ    毛髪化粧料塗布用具
２ａ    第１剤の容器（第１のエアゾール容器）
２ｂ    第２剤の容器（第２のエアゾール容器）
１０Ａ、１０Ｂ、１０Ｃ    混合液吐出キャップ
１１      連結部材
２０      キャップ部
３０      分配部材
４０      吐出部
４２      板状櫛歯
４２’    棒状櫛歯
４３      吐出孔
４４      吐出路
５０      混合室
５１ａ、５１ｂ    流路
５２ａ    第１剤流入口
５２ｂ    第２剤流入口
５３      流出口
５４      じゃま板
【図１】
2004155484.tif 000003
【図２】
2004155484.tif 000004
【図３】
2004155484.tif 000005
【図４】
2004155484.tif 000006
【図５】
2004155484.tif 000007
【図６】
2004155484.tif 000008
【図７】
2004155484.tif 000009
【図８】
2004155484.tif 000010
【図９】
2004155484.tif 000011
【図１０】
2004155484.tif 000012
【図１１】
2004155484.tif 000013
【図１２】
2004155484.tif 000014
【図１３】
2004155484.tif 000015
【図１４】
2004155484.tif 000016